(57)【要約】【課題】遭難時に確実に起動することができる緊急通報システム等を提供すること。【解決手段】遭難救助をするための救助センター６０と、救助センター６０と通信可能な端末装置３０を有する緊急通報システム１０であって、端末装置３０及び端末装置３０の起動装置３２は、水上での遭難者に浮力を与えるための浮力装置２０に防水状態で配置されており、端末装置３０の起動装置３２は、浮力装置２０の浮力取得動作を検知する浮力取得動作検知手段３２ａ等を有し、端末装置３０は、位置情報衛星１２ａ等から位置関連情報を取得するための位置関連情報取得手段２０４と、救助要求メッセージを格納するための救助要求メッセージ格納手段２０６と、位置情報衛星１２ａ等から取得した位置関連情報と救助要求メッセージに基づいて、救助要求情報を生成するための救助要求情報生成情報を格納する救助要求情報生成情報格納手段２０８と、を有する。【選択図】図４
2005276111.tif 000002
【特許請求の範囲】
【請求項１】
遭難救助をするための救助センターと、
前記救助センターと通信可能な端末装置を有する緊急通報システムであって、
前記端末装置及び前記端末装置の起動装置は、水上での遭難者に浮力を与えるための浮力装置に防水状態で配置されており、
前記端末装置の起動装置は、前記浮力装置の浮力取得動作を検知する浮力取得動作検知手段を有し、
前記端末装置は、
位置情報衛星から位置関連情報を取得するための位置関連情報取得手段と、
救助要求メッセージを格納するための救助要求メッセージ格納手段と、
前記位置情報衛星から取得した前記位置関連情報と前記救助要求メッセージに基づいて、救助要求情報を生成するための救助要求情報生成情報を格納する救助要求情報生成情報格納手段と、
を有することを特徴とする緊急通報システム。
【請求項２】
遭難救助をする救助センターに対して救助要求情報を送信する端末装置が配置されている浮力装置であって、  
前記端末装置及び前記端末装置の起動装置は、前記浮力装置に防水状態で配置されており、
前記端末装置の起動装置は、前記浮力装置の浮力取得動作を検知する浮力取得動作検知手段を有し、  
前記端末装置は、
位置情報衛星から位置関連情報を取得するための位置関連情報取得手段と、
救助要求メッセージを格納するための救助要求メッセージ格納手段と、
前記位置情報衛星から取得した前記位置関連情報と前記救助要求メッセージに基づいて、前記救助要求情報を生成するための救助要求情報生成情報を格納する救助要求情報生成情報格納手段と、
を有することを特徴とする浮力装置。  
【請求項３】
前記端末装置は、
水面上及び水面下において、前記位置情報衛星からの前記位置関連情報の取得、及び、前記救助センターに対する前記救助要求情報の送信をすることを特徴とする請求項２に記載の浮力装置。
【請求項４】
浮力装置に防水状態で配置されている端末装置の起動装置が、前記浮力装置の浮力取得動作を検知する浮力取得動作検知ステップと、
前記端末装置が、位置情報衛星から位置関連情報を取得する位置関連情報取得ステップと、
前記端末装置が、あらかじめ格納している救助要求メッセージと前記位置関連情報に基づいて救助要求情報を生成する救助要求情報生成ステップと、
前記端末装置が、救助センターに対して前記救助要求情報を送信する救助要求情報送信ステップと、を有することを特徴とする緊急通報方法。
【請求項５】
コンピュータに、
浮力装置に防水状態で配置されている端末装置の起動装置が、前記浮力装置の浮力取得動作を検知する浮力取得動作検知ステップと、
前記端末装置が、位置情報衛星から位置関連情報を取得する位置関連情報取得ステップと、
前記端末装置が、あらかじめ格納している救助要求メッセージと前記位置関連情報に基づいて救助要求情報を生成する救助要求情報生成ステップと、
前記端末装置が、救助センターに対して前記救助要求情報を送信する救助要求情報送信ステップと、を実行させることを特徴とする端末装置の制御プログラム。
【請求項６】
コンピュータに、
浮力装置に防水状態で配置されている端末装置の起動装置が、前記浮力装置の浮力取得動作を検知する浮力取得動作検知ステップと、
前記端末装置が、位置情報衛星から位置関連情報を取得する位置関連情報取得ステップと、
前記端末装置が、あらかじめ格納している救助要求メッセージと前記位置関連情報に基づいて救助要求情報を生成する救助要求情報生成ステップと、
前記端末装置が、救助センターに対して前記救助要求情報を送信する救助要求情報送信ステップと、を実行させることを特徴とする端末装置の制御プログラムを記録したコンピュータ読み取り可能な記録媒体。
【発明の詳細な説明】
【技術分野】
【０００１】
本発明は、緊急通報システム、浮力装置、緊急通報方法、端末装置の制御プログラム及び端末装置の制御プログラムを記録したコンピュータ読み取り可能な記録媒体に関するものである。
【背景技術】
【０００２】
従来、海や湖での人が船から落ちる（落水）等の遭難時の人命救助システムとして、水を検知して落水信号を無線で送信することによって、船等が落水地点から遠ざからないように制御したり、他の船等に落水の事実を報知する人命救助システムが提案されている。
【特許文献１】特開２００２−２３２３０３号公報（図５等）
【発明の開示】
【発明が解決しようとする課題】
【０００３】
しかし、無線装置などの電機・電子機器は、一般に水に弱く、水に触れることが原因となって動作不良を起こす場合がある。
この点、電機・電子機器を有する遭難時の人命救助システムは、確実に起動することが要求されるのであるが、水を検知して無線装置等の起動をするシステムは、水の影響で動作不良を起こし、そもそも起動できない場合があるという問題がある。
【０００４】
そこで、本発明は、遭難時に確実に起動することができる緊急通報システム、浮力装置、緊急通報方法、端末装置の制御プログラム及び端末装置の制御プログラムを記録したコンピュータ読み取り可能な記録媒体を提供することを目的とする。
【課題を解決するための手段】
【０００５】
前記目的は、第１の発明によれば、遭難救助をするための救助センターと、前記救助センターと通信可能な端末装置を有する緊急通報システムであって、前記端末装置及び前記端末装置の起動装置は、水上での遭難者に浮力を与えるための浮力装置に防水状態で配置されており、前記端末装置の起動装置は、前記浮力装置の浮力取得動作を検知する浮力取得動作検知手段を有し、前記端末装置は、位置情報衛星から位置関連情報を取得するための位置関連情報取得手段と、救助要求メッセージを格納するための救助要求メッセージ格納手段と、前記位置情報衛星から取得した前記位置関連情報と前記救助要求メッセージに基づいて、救助要求情報を生成するための救助要求情報生成情報を格納する救助要求情報生成情報格納手段と、を有することを特徴とする緊急通報システムにより達成される。
【０００６】
第１の発明の構成によれば、前記端末装置及び前記端末装置の起動装置は、水上での遭難者に浮力を与えるための浮力装置に防水状態で配置されている。
前述のように、電機・電子機器は、一般に水に弱いため、水によって起動不良を起こす場合があるが、本発明の構成によれば、前記端末装置及び前記端末装置の起動装置は浮力装置に防水状態で配置されている。
このため、水の影響による起動不良を防止できる。
【０００７】
また、前記端末装置の起動装置は、前記浮力装置の浮力取得動作を検知する浮力取得動作検知手段を有する。
すなわち、前記起動装置は、前記浮力装置である例えば、ライフジャケットの浮力取得動作である例えば、空気注入を検知して、前記端末装置を起動させるのである。
このため、前記起動装置は、水と接触することがないから、確実に前記端末装置を起動させることができる。
【０００８】
上述のように確実に起動した前記端末装置は、前記位置関連情報に基づいて例えば、遭難場所を特定し、その遭難場所と、前記救助要求メッセージである例えば、ＳＯＳ信号に基づいて、前記救助要求情報を生成することができる。
さらに、前記端末装置は前記救助センターと通信可能であるから、前記救助要求情報を前記救助センターに対して送信することができるのである。
【０００９】
これにより、遭難時に確実に起動することができる緊急通報システムを提供することができる。  
【００１０】
前記目的は、第２の発明によれば、遭難救助をする救助センターに対して救助要求情報を送信する端末装置が配置されている浮力装置であって、前記端末装置及び前記端末装置の起動装置は、前記浮力装置に防水状態で配置されており、前記端末装置の起動装置は、前記浮力装置の浮力取得動作を検知する浮力取得動作検知手段を有し、前記端末装置は、
位置情報衛星から位置関連情報を取得するための位置関連情報取得手段と、救助要求メッセージを格納するための救助要求メッセージ格納手段と、前記位置情報衛星から取得した前記位置関連情報と前記救助要求メッセージに基づいて、前記救助要求情報を生成するための救助要求情報生成情報を格納する救助要求情報生成情報格納手段と、を有することを特徴とする浮力装置によって達成される。
【００１１】
第３の発明は、第２の発明の構成において、前記端末装置は、水面上及び水面下において、前記位置情報衛星からの前記位置関連情報の取得、及び、前記救助センターに対する前記救助要求情報の送信をすることを特徴とする。
前記浮力装置の使用者が例えば、海で遭難し、海上を浮遊する場合には、前記浮力装置である例えば、ライフジャケットは波をかぶったり、水面下に沈む場合がある。
第３の発明の構成によれば、このように前記浮力装置が波をかぶったり、水面下に沈んだ場合においても、前記位置情報衛星からの前記位置関連情報の取得、及び、前記救助センターに対する前記救助要求情報の送信をするから、確実に前記救助センターに対して救助を要求することができる。
【００１２】
前記目的は、第４の発明によれば、浮力装置に防水状態で配置されている端末装置の起動装置が、前記浮力装置の浮力取得動作を検知する浮力取得動作検知ステップと、前記端末装置が、位置情報衛星から位置関連情報を取得する位置関連情報取得ステップと、前記端末装置が、あらかじめ格納している救助要求メッセージと前記位置関連情報に基づいて救助要求情報を生成する救助要求情報生成ステップと、前記端末装置が、救助センターに対して前記救助要求情報を送信する救助要求情報送信ステップと、を有することを特徴とする緊急通報方法によって達成される。
【００１３】
前記目的は、第５の発明によれば、コンピュータに、浮力装置に防水状態で配置されている端末装置の起動装置が、前記浮力装置の浮力取得動作を検知する浮力取得動作検知ステップと、前記端末装置が、位置情報衛星から位置関連情報を取得する位置関連情報取得ステップと、前記端末装置が、あらかじめ格納している救助要求メッセージと前記位置関連情報に基づいて救助要求情報を生成する救助要求情報生成ステップと、前記端末装置が、救助センターに対して前記救助要求情報を送信する救助要求情報送信ステップと、を実行させることを特徴とする端末装置の制御プログラムによって達成される。
【００１４】
前記目的は、第６の発明によれば、コンピュータに、浮力装置に防水状態で配置されている端末装置の起動装置が、前記浮力装置の浮力取得動作を検知する浮力取得動作検知ステップと、前記端末装置が、位置情報衛星から位置関連情報を取得する位置関連情報取得ステップと、前記端末装置が、あらかじめ格納している救助要求メッセージと前記位置関連情報に基づいて救助要求情報を生成する救助要求情報生成ステップと、前記端末装置が、救助センターに対して前記救助要求情報を送信する救助要求情報送信ステップと、を実行させることを特徴とする端末装置の制御プログラムを記録したコンピュータ読み取り可能な記録媒体によって達成される。
【発明を実施するための最良の形態】
【００１５】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。  
【００１６】
（第１の実施の形態）
（緊急通報システム１０の概略について）  
図１は、本発明の実施の形態に係る緊急通報システム１０を示す概略図である。
緊急通報システム１０は、遭難救助をするための救助センターである例えば、センター６０を有する。センター６０は陸地に位置し、通信網である例えば、インターネット網５０を介して基地局４０と通信するためのセンターアンテナ６０ａを有する。
緊急通報システム１０はまた、センター６０と通信可能な端末装置である例えば、端末３０を有する。
この端末３０は、端末アンテナ３０ａを有しており、基地局４０及びインターネット網５０を介してセンター６０と通信可能になっている。端末３０及び端末３０の後述の起動装置は、水上での遭難者である甲に浮力を与えるための浮力装置である例えば、ライフジャケット２０に、後述のように防水状態で配置されている。
【００１７】
端末３０はまた、位置情報衛星である例えば、ＧＰＳ（Ｇｌｏｂａｌ  Ｐｏｓｉｔｉｏｎｉｎｇ  Ｓｙｓｔｅｍ）衛星１２ａ，１２ｂ，１２ｃ及び１２ｄから位置関連情報を取得するための位置関連情報取得手段である後述のＧＰＳ装置を有する。
なお、本実施の形態と異なり、ＧＰＳ衛星１２ａ等は４個以上でもよい。また、３個のＧＰＳ衛星１２ａによって、緯度情報と経度情報を生成する２次元測位を行うように構成してもよい。
【００１８】
図１に示すように、端末３０が配置されたライフジャケット２０を着用した甲は、海上を航行中のボート１１から転落し、海上を浮遊している。
【００１９】
（センター６０のハードウエア構成について）
図２は、センター６０のハードウエア構成を示す概略図である。
図２に示すように、センター６０は、コンピュータを有しており、コンピュータは、バス１６０を有する。
このバス１６０には、ＣＰＵ（Ｃｅｎｔｒａｌ  Ｐｒｏｃｅｓｓｉｎｇ  Ｕｎｉｔ）１６２、ＲＡＭ（Ｒａｎｄｏｍ  Ａｃｃｅｓｓ  Ｍｅｍｏｒｙ）１６４、ＲＯＭ（Ｒｅａｄ  Ｏｎｌｙ  Ｍｅｍｏｒｙ）１６６等が接続されている。
【００２０】
また、このバス１６０には、図１の端末３０と基地局４０を介して通信するためのセンター通信装置１６８、端末３０等から受信した救助要求情報を表示するためのセンター表示装置１７０が接続されている。
これにより、端末３０等から受信した救助要求情報を、センター６０の救助担当者（図示せず）に報知することができる。
【００２１】
（センター６０のソフトウエア構成について）
図３は、センター６０の主なソフトウエア構成を示す概略図である。
図３に示すように、センター６０は、図２のセンター通信装置１６８に対応するセンター通信部２５０、図２のセンター表示装置１７０に対応するセンター表示部２５４、各部を制御するセンター制御部２５２を有する。
【００２２】
（ライフジャケット２０について）
図４は、ライフジャケット２０の主な構成を示す概略図である。
図４に示すように、ライフジャケット２０には、端末３０が配置されている。この端末３０は、防水機能を有する端末格納用防水袋２２に格納されており、海水などの水と接触しないように配置されている。端末３０は、ＧＰＳ衛星１２ａ等及びセンター６０と電波の送受信を行うことができるように、ライフジャケット２０の部分のうち、図４に示す上側の部分に配置されている。端末３０を図４に示す上側の部分に配置することで、端末３０が水中に深く沈むことを回避することができるのである。
【００２３】
端末３０の後述する電源は、図４の通報接点３２が接続することにより入力されるようになっている。通報接点３２は、通報接点格納用防水袋２４に格納されており、海水などの水と接触しないように配置されている。
端末３０と通報接点３２とは電線３４によって電気的に接続されている。電線３４は図示しないプラスチックなどで覆われており、海水などの水と接触しないように構成されている。
以上で説明した端末装置３０、通報接点３２及び電線３４は全体として緊急通報装置２１を構成しており、緊急通報装置２１は全体として、海水などの水と接触しないように構成されている。
【００２４】
ライフジャケット２０は、使用者甲が空気注入用ひも２６を引くことで空気が注入されてふくらみ、浮力を得るように構成されている。
なお、本実施の形態とは異なり、ライフジャケット２０は、着水時に自動的に空気が注入される構成になっていてもよい。
【００２５】
（端末３０の主なハードウエア構成等について）
図５は端末３０の主なハードウエア構成等を示す概略図である。
図５に示すように、端末３０は、コンピュータを有しており、コンピュータは、バス１３０を有する。
このバス１３０には、ＣＰＵ１３２、ＲＡＭ１３４、ＲＯＭ１３６等が接続されている。
【００２６】
また、このバス１３０には、通報接点３２の接続を電線３４を介して認識する電源スイッチ３６が接続されている。
このバス１３０にはまた、ＧＰＳ衛星１２ａ等から位置関連情報を取得するための位置関連情報取得手段である例えば、ＧＰＳ装置１４０が接続されている。これにより、端末３０の位置、すなわち、海上を浮遊している甲（図１参照）の現在位置の現在位置情報を取得することができる。
【００２７】
このバス１３０にはまた、図１の基地局４０を介してセンター６０に救助要求情報を送信する等するための端末通信装置１４２が接続されている。
さらに、このバス１３０には、端末３０の現在位置等を表示するための端末表示装置１４４が接続されている。図４のライフジャケット２０及び端末格納用防水袋２２は、端末３０の端末表示装置１４４を使用者甲が視認できるように例えば、透明又は半透明の素材で構成されている。上述のＧＰＳ装置１４０によって取得した位置関連情報をこの端末表示装置１４４に表示することにより、使用者甲は現在位置を知ることができる。このようにして現在位置を知った甲は安心し、遭難時に最も重要とされる冷静な行動をとることができるのである。
なお、本実施の形態とは異なり、端末３０は、端末表示装置１４４を有していなくてもよい。
【００２８】
（端末３０の主なソフトウエア構成について）
図６は、端末３０の主なソフトウエア構成を示す概略図である。
図６に示すように、端末３０は、図５の端末通信装置１４２に対応する端末通信部２００、図５のＧＰＳ装置１４０に対応する測位部２０４を有する。測位部２０４は、ＧＰＳ衛星１２ａ等から位置関連情報を取得すると同時に、時刻情報も取得する。
【００２９】
端末３０はまた、各部を制御する端末制御部２０２を有する。
さらに、端末３０は、救助要求メッセージを格納するための救助要求メッセージ格納手段である例えば、救助要求メッセージ格納ファイル２０６を有する。救助要求メッセージ格納ファイルには例えば、「ＳＯＳ」、「遭難救助頼む」などの救助要求メッセージがデータとして格納されている。
【００３０】
また、端末３０は、ＧＰＳ衛星１２ａ等から取得した位置関連情報と上述の救助要求メッセージに基づいて、救助要求情報を生成するための救助要求情報生成情報を格納する救助要求情報生成情報格納手段である例えば、救助要求情報生成情報格納ファイル２０８を有する。
このため、図６の端末制御部２０２は、救助要求情報生成情報格納ファイル２０８に格納されている救助要求情報生成情報に従って、測位部２０４が取得した現在位置情報と救助要求メッセージ格納ファイルに格納されている救助要求メッセージに基づいて、救助要求情報を生成することができる。
端末制御部２０２は例えば、「東経１３５度、北緯２５度」という現在位置情報と、「ＳＯＳ」という救助要求メッセージに基づいて、「ＳＯＳ、東経１３５度、北緯２５度」という救助要求情報を生成することができるのである。
さらに、上述のように図６の測位部２０４は、ＧＰＳ衛星１２ａ等から時刻情報も取得するから、例えば、時刻情報が「１３：００」というものであれば、上述の救助要求メッセージにこの時刻情報を加えて、「ＳＯＳ、東経１３５度、北緯２５度、１３：００」という救助要求メッセージを生成することができる。
【００３１】
端末制御部２０２は、上述のようにして生成した救助要求情報を端末通信部２００によって、図１のセンター６０に送信する。
救助要求情報を受信したセンター６０は、図２のセンター表示装置１７０にその救助要求情報を表示する。これにより、センター６０の救助担当者は、甲が着用しているライフジャケット２０に配置された端末３０からの救助要求情報を認識し、必要な救助行動をとることができるのである。
【００３２】
（通報接点３２の構成について）
ところで、図４に示す緊急通報装置２１は、確実に起動する必要がある。この点、上述のように緊急通報装置２１は全体として海水などの水に接触しないように構成されているから、水による動作不良の問題は生じない。
すなわち、緊急通報装置２１の起動は、水の検知によるものではないから、海に転落した場合でも、確実に起動することができる。
以下、この緊急通報装置２１の通報接点３２の構成について説明する。
【００３３】
図７は、通報接点３２の構成等を示す概略図である。
図７に示すように、通報接点３２は、接続端子３２ａ，３２ｂを有する。接続端子３２ａ，３２ｂは例えば、銅などの金属等の導電体で構成されており、電線３４ａ，３４ｂと接続されている。接続端子３２ｂは、導電体で構成されている接続板３２ｃと電気的かつ機械的に接続されている。
【００３４】
そして、接続板３２ｃは矢印Ｘ方向に図示しないバネなどの付勢手段によって付勢されており、絶縁板３２ｄが矢印Ｙ方向に引かれて通報接点３２から除去されると、接続端子３２ａと接触するように構成されている。接続板３２ｃを介して接続端子３２ａ，３２ｂが電気的に接続されると、電線３４ａ，３４ｂ及び端末３０の電源スイッチ３６（図５参照）が回路を形成して電流が流れ、端末３０が起動するようになっている。そして、端末３０は、一度起動すると、通報接点３２とは無関係に作動を継続するようになっている。
【００３５】
絶縁板３２ｄは、図７の空気注入用ひも２６と機械的に接続されており、空気注入用ひも２６が引かれることで、矢印Ｙ方向に引かれて移動し、通報接点３２から除去されるようになっている。
すなわち、端末３０の起動装置である通報接点３２は、ライフジャケット２０の、浮力取得動作である空気注入用ひも２６が引かれて移動するという動作を検知するのである。そして、接続端子３２ａ，３２ｂ、接続板３２ｃ及び絶縁板３２ｄは、浮力取得動作を検知する浮力取得動作検知手段の一例である。
【００３６】
以上で説明したように、端末３０の起動装置である通報接点３２は海水などの水に接触することなく、端末３０を起動することができる。
【００３７】
以上が本実施の形態に係る緊急通報システム１０の構成であるが、以下、その使用例を主に図８を使用して説明する。
図８は緊急通報システム１０の動作例を示す概略フローチャートである。
【００３８】
図１の甲がボート１１から転落して海に投げ出されると（ステップＳＴ１）、ライフジャケット２０を着用していた甲は、浮力を得るために、図４の空気注入用ひも２６を引いてライフジャケット２０に空気を注入する動作をする（ステップＳＴ２）。
甲によって空気注入用ひも２６が引かれると、図７の通報接点３２が、ライフジャケット２０の浮力取得動作である空気注入用ひも２６が引かれて移動する空気注入動作（浮力取得動作）を検知する浮力取得動作検知ステップの一例であるステップＳＴ３が実行される。具体的には、図７の絶縁板３２ｄが矢印Ｙ方向に除去されて、接続端子３２ａと接続端子３２ｂが、接続板３２ｃを介して電気的に接続する。  
これにより、図６の端末３０が起動する（ステップＳＴ４）。
【００３９】
続いて、端末３０は、ＧＰＳ衛星１２ａ等から位置関連情報を取得する位置関連情報取得ステップの一例であるステップＳＴ５を実行する。具体的には、図６の測位部２０４が図１のＧＰＳ１２ａ等から位置関連情報を取得して現在位置の測位を開始する（ステップＳＴ５）。また、測位部２０４はＧＰＳ衛星１２ａ等から現在の時刻情報を取得する。
現在位置の測位が完了すると（ステップＳＴ６）、現在位置情報及び現在時刻情報を図６の記録部２１０に保存する（ステップＳＴ７）。
【００４０】
続いて、端末３０は、あらかじめ格納している救助要求メッセージと位置関連情報に基づいて救助要求情報を生成する救助要求情報生成ステップの一例であるステップＳＴ８を実行する。具体的には、図６の端末制御部２０２が、救助要求メッセージ格納ファイル２０６に格納している例えば、「ＳＯＳ」という救助要求メッセージと、ステップＳＴ７において保存した例えば、「東経１３５度、北緯３０度、１３：００」という現在位置情報及び現在時刻情報に基づいて、「ＳＯＳ、東経１３５度、北緯２５度、１３：００」という救助要求情報を生成する。
【００４１】
続いて、端末３０が、センター６０に対して救助要求情報を送信する救助要求情報送信ステップの一例であるステップＳＴ９を実行する。具体的には、端末制御部２０２が、端末通信部２００によって、上述のステップＳＴ８において生成した救助要求情報を送信する。
【００４２】
図１のセンター６０が、ステップＳＴ８において送信された救助要求情報を受信すると（ステップＳＴ１０）、センター６０の救助担当者は甲が遭難したことを知り、必要な救助活動を開始する（ステップＳＴ１１）。
【００４３】
上述のステップＳＴ５乃至ステップＳＴ１０は例えば、３０分に１回行うなど、複数回行うようにしてもよい。図１の甲は海上を浮遊しているから、時間が経てばその位置が変わる場合があり、センター６０による救助を確実に受けるためには、現在時刻での現在位置を報知する（ステップＳＴ９）のが効果的だからである。
【００４４】
（第２の実施の形態）
次に、第２の実施の形態について、説明する。
第２の実施の形態における緊急通報システムの構成は、上記第１の実施の形態の緊急通報システム１０と多くの構成が共通するため共通する部分は同一の符号等とし、説明を省略し、以下、相違点を中心に説明する。
【００４５】
図９は、通報接点３３の構成等を示す概略図である。
第２の実施の形態における緊急通報システムは、第１の実施の形態の緊急通報システム１０と異なり、通報接点３３は、図４の空気注入用ひも２６が引かれて移動する動作を検知するのではなく、図９の気圧センサ３２ｅがライフジャケット２０内に空気が注入されることによる気圧の変化を検知する。
【００４６】
すなわち、ライフジャケット２０内に空気が注入されるという浮力取得動作を検知して、端末３０を起動するのである。具体的には、気圧センサ３２ｅは接続板３２ｆと図示しない配線によって電気的に接続されており、気圧センサ３２ｅがライフジャケット２０内の気圧の変化を検知すると、電流を接続板３２ｆに流すことにより、接続板３２ｆが接続端子３２ａと電気的に接続されるように構成されている。
接続板３２ｆは例えば、バイメタルで構成されており、電流が流れると矢印Ｘ方向に屈曲して接続端子３２ａに接触するようになっている。
【００４７】
（第３の実施の形態）
次に、第３の実施の形態について、説明する。
第３の実施の形態における緊急通報システムの構成は、上記第１の実施の形態の緊急通報システム１０と多くの構成が共通するため共通する部分は同一の符号等とし、説明を省略し、以下、相違点を中心に説明する。
【００４８】
図１０は、水深と位置取得率の関係等を示す図である。
第３の実施の形態における緊急通報システムは、第１の実施の形態の緊急通報システム１０と異なり、端末３１のＧＰＳ装置１４１は高感度であり例えば、ＧＰＳ衛星１２ａ等からの位置関連情報の受信感度が約−１５５ミリワットデシベル（ｄＢｍ）であっても測位することができる。
【００４９】
このため、図１０の破線Ｑに示す、受信感度が約−１３５ミリワットデシベル（ｄＢｍ）である比較対照のＧＰＳ装置（図示せず）の位置取得率（測位回数に対する測位結果を取得した回数の割合）は例えば、水深１５センチメートル（ｃｍ）で約５パーセント（％）であるのに対して、図１０の実線Ｐに示す、ＧＰＳ装置１４１の位置取得率は水深１５センチメートル（ｃｍ）で約５５パーセント（％）であって、より高い確率である。
また、端末３１の通信装置１４３は、水面下である例えば、水深４０センチメートル（ｃｍ）においても、基地局４０（図１参照）に対して電波を送信することができる。
以上の構成により、端末３１は、水面上及び水面下において、ＧＰＳ衛星１２ａ等からの位置関連情報の取得、及び、センター６０に対する救助要求情報の送信をすることができる。
これにより、ライフジャケット２０（図１参照）の使用者甲が例えば、海に転落し、ライフジャケットが波をかぶったり、水面下に沈む場合であっても、ＧＰＳ衛星１２ａ等からの位置関連情報の取得、及び、センター６０に対する救助要求情報の送信をするから、確実に救助センター６０に対して現在位置を連絡しつつ、救助を要求することができる。
【００５０】
（プログラム及びコンピュータ読み取り可能な記録媒体等について）
コンピュータに上述の動作例の浮力取得動作検知ステップと、位置関連情報取得ステップと、救助要求情報生成ステップと、救助要求情報送信ステップ等を実行させるための端末装置の制御プログラムとすることができる。
また、このような端末装置の制御プログラム等を記録したコンピュータ読み取り可能な記録媒体等とすることもできる。
【００５１】
これら端末装置の制御プログラム等をコンピュータにインストールし、コンピュータによって実行可能な状態とするために用いられるプラグラム格納媒体は、例えばフロッピー（登録商標）のようなフレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−Ｒｅｗｒｉｔｅｒｂｌｅ）、ＤＶＤ（Ｄｉｇｉｔａｌ  Ｖｅｒｓａｔｉｌｅ  Ｄｉｓｃ）などのパッケージメディアのみならず、プログラムが一時的若しくは永続的に格納される半導体メモリ、磁気ディスクあるいは光磁気ディスクなどで実現することができる。
【００５２】
本発明は、上述の各実施の形態に限定されない。さらに、上述の各実施の形態は、相互に組み合わせて構成するようにしてもよい。
【図面の簡単な説明】
【００５３】
【図１】本発明の実施の形態に係る緊急通報システムを示す概略図である。
【図２】センターの主なハードウエア構成を示す概略図である。
【図３】センターの主なソフトウエア構成を示す概略図である。
【図４】ライフジャケットの主な構成を示す概略図である。
【図５】端末の主なハードウエア構成等を示す概略図である。
【図６】端末の主なソフトウエア構成を示す概略図である。
【図７】通報接点の一例を示す概略図である。
【図８】緊急通報システムの動作例を示すフローチャートである。
【図９】通報接点の一例を示す概略図である。
【図１０】水深と位置取得率の関係等を示す図である。
【符号の説明】
【００５４】
１０・・・緊急通報システム、１１・・・ボート、１２ａ，１２ｂ，１２ｃ，１２ｄ・・・ＧＰＳ衛星、２０・・・ライフジャケット、２２・・・端末格納用防水袋、２４・・・通報接点格納用防水袋、２６・・・空気注入用ひも、３０・・・端末、３２・・・通報接点、３２ａ，３２ｂ・・・接続端子、３２ｃ・・・接続板、３２ｄ・・・絶縁板、３２ｅ・・・気圧センサ、１４０・・・ＧＰＳ装置、２０４・・・測位部、２０６・・・救助要求メッセージ格納ファイル、２０８・・・救助要求情報生成情報格納ファイル
【図１】
2005276111.tif 000003
【図２】
2005276111.tif 000004
【図３】
2005276111.tif 000005
【図４】
2005276111.tif 000006
【図５】
2005276111.tif 000007
【図６】
2005276111.tif 000008
【図７】
2005276111.tif 000009
【図８】
2005276111.tif 000010
【図９】
2005276111.tif 000011
【図１０】
2005276111.tif 000012